(57)【要約】【課題】書き換え可能な光ディスク記録媒体を使用しながら改ざんを困難にしセキュリティを高くすること。【解決手段】ファイル管理領域とエリア管理領域とファイルデータ領域からなるデータエリアを有しファームウェアに関するデータを記憶する書き換え可能な光ディスク記憶媒体であって、予め初期化を行なった後、ファイルデータ領域のファイル未使用部分の先頭に、ファームウェアに関するデータとしてファームウェア識別情報とファームウェアインデックス情報と実データを記憶する。【選択図】　　図１
2004030742.tif 000002
【特許請求の範囲】
【請求項１】
ファイル管理領域とエリア管理領域とファイルデータ領域からなるデータエリアを有しファームウェアに関するデータを記憶する書き換え可能な光ディスク記憶媒体であって、
予め初期化を行なった後、ファイルデータ領域のファイル未使用部分の先頭に、ファームウェアに関するデータとしてファームウェア識別情報とファームウェアインデックス情報と実データを記憶したことを特徴とする光ディスク記録媒体。
【請求項２】
請求項１に記載された光ディスク記録媒体において、
ファイルデータ領域の空き状況を示すエリア管理領域の、ファームウェアに関するデータを記憶した部分に対応する場所に、使用済みの状態を記憶したことを特徴とする光ディスク記録媒体。
【請求項３】
請求項１或いは請求項２に記載された光ディスク記録媒体において、
ファームウェアインデックス情報として、メーカ名、機種名、及びバージョン番号を記憶したことを特徴とする光ディスク記録媒体。
【請求項４】
光ディスク装置とホストマイコンとメモリと映像変換回路と各種インターフェースを有する光ディスク情報記録再生装置であって、
ホストマイコンが、光ディスク装置で読み取った、光ディスク記録媒体のファイルデータ領域のファイル未使用部分の先頭に存在するファイルの実データを読み込み、ファームウェア識別情報が有り且つ目的のファームウェアが有った場合、このファームウェアの実データを光ディスク装置に書き込んでファームウェアの更新を行なうことを特徴とする光ディスク情報記録再生装置。
【請求項５】
請求項４に記載された光ディスク情報記録再生装置おいて、
ホストマイコンが、ファームウェアの実データを光ディスク装置に書き込んだ後に、この更新したファームウェアを用いて光ディスク装置を初期化することを特徴とする光ディスク情報記録再生装置。
【請求項６】
請求項４に記載された光ディスク情報記録再生装置おいて、
ホストマイコンが、ファームウェアの実データを光ディスク装置に書き込んだ後に、エリア管理領域のファームウェアに関するデータを記憶した部分に対応する場所の使用済みの状態を未使用状態に書き直すことを特徴とする光ディスク情報記録再生装置。
【請求項７】
請求項４乃至請求項６に記載された光ディスク情報記録再生装置おいて、
光ディスク装置が、電気的に書き換えられる不揮発性のメモリ手段を有し、このメモリ手段にファームウェアの実データを書き込むことを特徴とする光ディスク情報記録再生装置。
【請求項８】
コンピュータプログラムを記憶した記憶媒体であって、
コンピュータプログラムが、光ディスク記録媒体のファイルシステム管理情報を読み込むステップと、光ディスク記録媒体のファイルデータ領域のファイル未使用部分の先頭に存在するファイルの実データを読み込むステップと、ファームウェア識別情報が有るか否かを判別するステップと、ファームウェアインデックス情報内に目的のファームウェアに関する情報がが有るか否かを判別するステップと、目的のファームウェア有った場合にこのファームウェアの実データを光ディスク装置に書き込んでファームウェアの更新を行なうステップからなるファームウェア更新プログラムであることを特徴とするコンピュータプログラムを記憶した記憶媒体。
【請求項９】
請求項８に記載されたコンピュータプログラムを記憶した記憶媒体おいて、
コンピュータプログラムが、ファームウェアの更新を行なうステップの後に、この更新したファームウェアを用いて光ディスク装置を初期化するステップを有するファームウェア更新プログラムであることを特徴とするコンピュータプログラムを記憶した記憶媒体。
【請求項１０】
請求項８に記載されたコンピュータプログラムを記憶した記憶媒体おいて、
コンピュータプログラムが、ファームウェアの更新を行なうステップの後に、エリア管理領域のファームウェアに関するデータを記憶した部分に対応する場所の使用済みの状態を未使用状態に書き直すステップを有するファームウェア更新プログラムであることを特徴とするコンピュータプログラムを記憶した記憶媒体。
【発明の詳細な説明】
【０００１】
【発明の属する技術分野】
本発明は、ＣＤ、ＤＶＤ、ＭＯ等の光ディスク記録媒体のデータ記録再生を行なう光ディスク装置を有し映像を記録再生する光ディスク情報記録再生装置に関し、特に、光ディスク情報を記録再生する光ディスク装置を制御するためのマイクロコンピュータの制御プログラム（本明細書では、当該制御プログラムに限定したものだけを「ファームウェア」という）を容易に更新出来る光ディスク情報記録再生装置に関するものである。
【０００２】
【従来の技術】
音楽用の再生光ディスク記録媒体として規格化されたＣＤは、その後規格が拡張されて、ＣＤ−ＲＯＭ（再生専用）、ＣＤ−Ｒ（１回だけ記録可能）、ＣＤ−ＲＷ（複数回の記録が可能）等の光ディスク記録媒体が現在使用されており、それを記録再生する光ディスク装置がパーソナルコンピュータ（以下、「パソコン」という）の外部記憶装置用として使われ普及している。また、ＣＤの次期メディアとしてＤＶＤが規格化され、再生専用メディアとしてＤＶＤ−ＶＩＤＥＯ、ＤＶＤ−ＡＵＤＩＯ、ＤＶＤ−ＲＯＭ、記録メディアとしてＤＶＤ−Ｒ、ＤＶＤ−ＲＷ、ＤＶＤ−ＲＡＭ、ＤＶＤ＋ＲＷ等が普及しつつある。特に記録メディアとしてのＤＶＤ−Ｒ、ＤＶＤ−ＲＷ、ＤＶＤ−ＲＡＭ、ＤＶＤ＋ＲＷは映像信号にＭＰＥＧ２を使った家庭向けの映像記録再生装置用のメディアとして期待されている。
【０００３】
従来例について、図６〜図８を用いて説明する。図６は光ディスク装置の概略構成を示す図であり、図７は光ディスク装置を組み込んだパソコンの概略構成を示す図であり、図８は光ディスク装置を組み込んだ光ディスク情報記録再生装置の概略構成を示す図である。
【０００４】
従来から知られている光ディスク装置の概略構成を、図６に示す。
【０００５】
図６において、光ディスク装置２０は、光ディスク記録媒体２１を載せて回転駆動する載置部１と、スピンドルモータ２と、サーボ制御回路３と、読み取り／書き込みヘッド４と、再生信号処理回路５と、誤り訂正回路６と、バッファメモリ７と、ホストインターフェース８と、記録信号処理回路９と、誤り訂正符号付加回路１０と、制御マイコン１１と、フラッシュＲＯＭ１２と、ＲＡＭ１３から構成されている。載置部１は、サーボ制御回路３で制御されるスピンドルモータ２により回転駆動される。読み取り／書き込みヘッド４は、サーボ制御回路３により制御されて所望の箇所までシークされる。
【０００６】
光ディスク情報を読み出す場合は、読み取り／書き込みヘッド４を用いて載置部１の光ディスク記録媒体２１から再生信号を読み出し、再生信号処理回路５でディジタルデータを検出する。検出したデジタルデータは、誤り訂正回路６で再生時のノイズ等による誤りを訂正した後、バッファメモリ７に蓄積される。蓄積されたデータは、ホストインターフェース８からの要求に従い順次出力される。また、光ディスク情報を書き込む場合は、ホストインターフェース８からの要求に従い、デジタルデータが順次バッファメモリ７に蓄積される。蓄積されたデジタルデータは、誤り訂正符号付加回路１０にて誤り訂正用の符号が付加され、載置部１の回転とタイミングを合わせて記録信号処理回路９に入力される。記録信号処理回路９から出力したデジタルデータは書き込みのための信号に変換され、読み取り／書き込みヘッド４から載置部１の光ディスク記録媒体２１に記録される。
【０００７】
制御マイコン１１には、電気的に書き換え可能なＲＯＭであるフラッシュＲＯＭ１２と、ＲＡＭ１３が接続されており、光ディスク装置２０の動作を制御するファームウェアがフラッシュＲＯＭ１２に格納されている。制御に必要なデジタルデータは、バッファメモリ７を介して制御マイコン１１で読み書きされる。光ディスク装置２０を動作する時は、制御マイコン１１がフラッシュＲＯＭ１２からファームウェアを読み出し、各回路に制御信号を送出する（図中、点線で表示）。読み出し速度の早いＲＡＭ１３上に読み出してから実行してもよい。
【０００８】
以上で述べた光ディスク装置２０を組み込んだパソコンは従来から知られている。その概略構成を、図７に示す。
【０００９】
図７において、パソコンは、光ディスク装置２０と、マイクロプロセッサ４１と、バス制御回路４２と、メモリ４３と、ハードディスク装置４４と、ドライブインターフェース４５と、汎用バス４６と、入力インターフェース４７と、グラフィックインターフェース４８と、ネットワークインターフェース４９から構成されている。マイクロプロセッサ４１には、バス制御回路４２を介してメモリ４３とＰＣＩバス等の汎用バス４６が接続され、汎用バス４６には各種インターフェースが接続されている。各インターフェースとしては、キーボードやマウス等が接続される入力インターフェース４７、ディスプレイモニタが接続されるディスプレイインターフェース４８、ネットワークが接続されるネットワークインターフェース４９、ハードディスク装置４４や光ディスク装置２０が接続されるドライブインターフェース４５等がある。ドライブインターフェース４５の例としては、ＳＣＳＩ（Ｓｍａｌｌ　Ｃｏｍｐｕｔｅｒ　Ｓｙｓｔｅｍ　Ｉｎｔｅｒｆａｃｅ）、ＩＤＥ（Ｉｎｔｅｇｒａｔｅｄ　Ｄｅｖｉｃｅ　Ｅｌｅｃｔｒｏｎｉｃｓ）等が挙げられる。光ディスク装置２０は、そのホストインターフェース８（図６参照）がドライブインターフェース４５と接続されており、ドライブインターフェース４５を介してパソコンの主要部との間で制御情報やデジタルデータが遣り取りされる。
【００１０】
パソコンで光ディスク記録媒体２１にデジタルデータを書き込む場合は、マイクロプロセッサ４１の指示に従い、メモリ４３等にあるデジタルデータを、汎用バス４６とドライブインターフェース４５を介して光ディスク装置２０に出力する。また、光ディスク記録媒体２１からデジタルデータを読み出す場合は、マイクロプロセッサ４１の指示に従い、デジタルデータを光ディスク装置２０からドライブインターフェース４５と汎用バス４６を介して読み出し、メモリ４３に格納し、或いはディスプレイインターフェース４８又はネットワークインターフェース４９から出力する。
【００１１】
ところで、パソコンで使用される光ディスク装置２０に、出荷後に不具合や性能向上の必要が生じた場合、フラッシュＲＯＭ１２に格納されているファームウェアを変更するようにしていた。このファームウェアの変更は、ユーザがアップデートプログラムをパソコンのＯＳ（オペレーティングシステム）上で実行させることで行なっていた。そのファームウェアのアップデートプログラムは、ＣＤ−ＲＯＭ等の光ディスク記録媒体２１から光ディスク装置２０を介して、または、ネットワークからネットワークインターフェース４９を介して、パソコンのハードディスク装置４４に格納することにより、入手していた。ファームウェアを変更する時は、ハードディスク装置４４に格納されているアップデートプログラムを読み出し、マイクロプロセッサ４１で実行し、ドライブインターフェース４５を介して、光ディスク装置２０との間であらかじめ取り決めた通信方式でファームウエアの内容を光ディスク装置２０に転送し、制御マイコン１１はホストインターフェース８及びバッファメモリ７を介してファームウエアの内容を受け取り、自身でフラッシュＲＯＭ１２にファームウエアを書き込んで更新する。
【００１２】
また、前記光ディスク装置２０を組み込んだ映像を記録再生する光ディスク情報記録再生装置も従来から知られている。その概略構成を図８に示す。
【００１３】
図８において、光ディスク情報記録再生装置は、光ディスク装置２０と、ホストマイコン３１と、映像変換回路３２と、メモリ３３と、各種インターフェース３４〜３６と、チューナー３７から構成されている。各種インターフェースとしては、リモコンや操作スイッチ等が接続される入力インターフェース３４、テレビモニタ等が接続される映像出力インターフェース３５、外部の映像機器からの映像信号、またはアンテナが接続されたチューナー３７からの映像信号、が入力される映像入力インターフェース３６等がある。光ディスク装置２０と映像出力インターフェース３５及び映像入力インターフェース３６との間には映像変換回路３２が接続される。ホストマイコン３１が光ディスク情報記録再生装置の動作の制御を行なう。
【００１４】
光ディスク情報記録再生装置で光ディスク記録媒体２１に映像データを書き込む場合は、映像入力インターフェース３６から映像データを取り込んで、映像変換回路３２にてＭＰＥＧデータに圧縮変換し、光ディスク装置２０に転送して光ディスク記録媒体２１に書き込み記録する。また、光ディスク記録媒体２１から映像データを読み出す場合は、光ディスク記録媒体２１から読み取ったＭＰＥＧデータを光ディスク装置２０から送信し、映像変換回路３２にて映像データに伸長変換し、映像出力インターフェース３５を介してテレビモニタ等に出力し、映像を表示する。
【００１５】
【発明が解決しようとする課題】
以上述べた光ディスク情報記録再生装置のような専用機は、パソコンの様な汎用的なプログラム実行環境を有していないので、前記アップデートプログラムを実行させることが出来ない。そこで、前記専用機の製造メーカから新しいファームウェアを記録した書き換えの不可能な専用の光ディスク記録媒体２１をユーザに送付し、ユーザ側でファームウェアを更新するようにしている。その例として、特開平１１−３２１９号公報や特開２００１−２２９０２８号公報が挙げられる。しかし、ファームウェア専用の光ディスク記録媒体２１は一度使用されるとその後は不要となるので、ファームウェアを更新する度に不要な光ディスク記録媒体２１を増やすことになり、省資源の面からも問題がある。これを解決するため、ＣＤ−ＲＷ、ＤＶＤ−ＲＷ等の書き換え可能な光ディスク記録媒体２１を使用することが考えられる。しかし、ファームウェア用のデータを、書き換え可能な光ディスク記録媒体２１に周知のファイルシステムに従ってファイルとして記録すると、ユーザを含む第三者からアクセスが可能であるため、改ざんの可能性がありセキュリティ面で不安がある。
【００１６】
本発明は、前述した課題を解決するためになされたものであり、書き換え可能な光ディスク記録媒体２１を使用しながら改ざんを困難にしセキュリティを高くすることを目的とする。
【００１７】
【課題を解決するための手段】
上記の目的を達成するため、
請求項１の記載に係る発明は、
ファイル管理領域とエリア管理領域とファイルデータ領域からなるデータエリアを有しファームウェアに関するデータを記憶する書き換え可能な光ディスク記憶媒体であって、
予め初期化を行なった後、ファイルデータ領域のファイル未使用部分の先頭に、ファームウェアに関するデータとしてファームウェア識別情報とファームウェアインデックス情報と実データを記憶したことを特徴とし、
請求項２の記載に係る発明は、
請求項１に記載された光ディスク記録媒体において、
ファイルデータ領域の空き状況を示すエリア管理領域の、ファームウェアに関するデータを記憶した部分に対応する場所に、使用済みの状態を記憶したことを特徴とし、
請求項３の記載に係る発明は、
請求項１或いは請求項２に記載された光ディスク記録媒体において、
ファームウェアインデックス情報として、メーカ名、機種名、及びバージョン番号を記憶したことを特徴とし、
請求項４の記載に係る発明は、
光ディスク装置とホストマイコンとメモリと映像変換回路と各種インターフェースを有する光ディスク情報記録再生装置であって、
ホストマイコンが、光ディスク装置で読み取った、光ディスク記録媒体のファイルデータ領域のファイル未使用部分の先頭に存在するファイルの実データを読み込み、ファームウェア識別情報が有り且つ目的のファームウェアが有った場合、このファームウェアの実データを光ディスク装置に書き込んでファームウェアの更新を行なうことを特徴とし、
請求項５の記載に係る発明は、
請求項４に記載された光ディスク情報記録再生装置おいて、
ホストマイコンが、ファームウェアの実データを光ディスク装置に書き込んだ後に、この更新したファームウェアを用いて光ディスク装置を初期化することを特徴とし、
請求項６の記載に係る発明は、
請求項４に記載された光ディスク情報記録再生装置おいて、
ホストマイコンが、ファームウェアの実データを光ディスク装置に書き込んだ後に、エリア管理領域のファームウェアに関するデータを記憶した部分に対応する場所の使用済みの状態を未使用状態に書き直すことを特徴とし、
請求項７の記載に係る発明は、
請求項４乃至請求項６に記載された光ディスク情報記録再生装置おいて、
光ディスク装置が、電気的に書き換えられる不揮発性のメモリ手段を有し、このメモリ手段にファームウェアの実データを書き込むことを特徴とし、
請求項８の記載に係る発明は、
コンピュータプログラムを記憶した記憶媒体であって、
コンピュータプログラムが、光ディスク記録媒体のファイルシステム管理情報を読み込むステップと、光ディスク記録媒体のファイルデータ領域のファイル未使用部分の先頭に存在するファイルの実データを読み込むステップと、ファームウェア識別情報が有るか否かを判別するステップと、ファームウェアインデックス情報内に目的のファームウェアに関する情報がが有るか否かを判別するステップと、目的のファームウェア有った場合にこのファームウェアの実データを光ディスク装置に書き込んでファームウェアの更新を行なうステップからなるファームウェア更新プログラムであることを特徴とし、
請求項９の記載に係る発明は、
請求項８に記載されたコンピュータプログラムを記憶した記憶媒体おいて、
コンピュータプログラムが、ファームウェアの更新を行なうステップの後に、この更新したファームウェアを用いて光ディスク装置を初期化するステップを有するファームウェア更新プログラムであることを特徴とし、
請求項１０の記載に係る発明は、
請求項８に記載されたコンピュータプログラムを記憶した記憶媒体おいて、
コンピュータプログラムが、ファームウェアの更新を行なうステップの後に、エリア管理領域のファームウェアに関するデータを記憶した部分に対応する場所の使用済みの状態を未使用状態に書き直すステップを有するファームウェア更新プログラムであることを特徴とする。
【００１８】
【発明の実施の形態】
以下、本発明の光ディスク記録媒体２１及び光ディスク情報記録再生装置の実施例について図１〜図５を用いて説明する。
【００１９】
その前に図９〜図１２を用いて、通常の光ディスク記録媒体２１、そのデータ構成、ファイルフォーマット直後のデータ構成、ファイル格納時のデータ構成について説明する。図９は通常の光ディスク記録媒体２１を示す図であり、図１０はその通常のデータ構成を示す図であり、図１１はそのファイルフォーマット直後の通常のデータ構成を示す図であり、図１２はファイル格納時の通常のデータ構成を示す図である。
【００２０】
通常の光ディスク記録媒体２１は、ＤＶＤを例にすると、図９に示すように、その記録領域が、内周から順に、リードインエリア、データエリア、リードアウトエリアに分けられている。そして、内周から、決められたデータサイズのブロック毎にブロックアドレス番号が振られている。リードインエリアには、ディスクの互換性、ドライブの制御に必要なディスク制御情報が記録されている。また、リードインエリアには、データエリアの開始位置及びリードアウトエリアの開始位置が記録されている。光ディスク記録媒体２１の内周から外周までをブロックアドレス番号順に表した通常のデータ構成を図１０に示す。光ディスク記録媒体２１を光ディスク情報記録再生装置で使用する場合は、事前にファイルを記録出来る様に初期化を行なう必要がある。ファイルを記録するフォーマットとしてはＵＤＦ（Ｕｎｉｖｅｒｓａｌ　Ｄｉｓｃ　Ｆｏｒｍａｔ）等のファイルシステムが挙げられる。光ディスク記録媒体２１にファイルフォーマットの初期化を行なうと、その通常のデータ構成は図１１に示すようになる。即ち、データエリアとして、ファイルやディレクトリに関する名前、日時、サイズ等が書き込まれるファイル管理領域と、データエリアの使用状況（空き情報）が書き込まれるエリア管理領域と、実際にファイルの実データが格納されるファイルデータ領域が形成される。エリア管理領域には、全てのブロックアドレス番号に対応して最低１ｂｉｔが割り当てられ、使用／未使用のフラグが書き込まれる。初期化した直後でも管理領域として使用している部分は使用中のフラグが立てられる。通常のファイルが記録された場合の光ディスク記録媒体２１の通常のデータ構成を図１２に示す。図１２に示すものは、ファイルが２つ格納されている状態を示している。ファイルが作成されると、ファイル管理領域に情報が作成され、ファイルデータ領域にファイルの実データが記録されると共に、エリア管理領域における前記実データが格納されたファイルデータ領域に対応する場所に使用状態を表すフラグが立てられる。ファイル管理領域及びエリア管理領域に記録されるファイル管理情報及びエリア管理情報は、ファイルシステム管理情報と呼ばれる。
【００２１】
以上説明したように、通常の光ディスク記録媒体２１は、データエリアに書き込まれたファイルシステム管理情報であるファイル管理情報及びエリア管理情報を読み取り、それら管理情報に基づいてファイルの実データを正確に読み出すようにしている。
【００２２】
これに対して、本発明は、ファイル管理領域にファイル管理情報を書き込まず、フォーマットの初期化後のファイルデータ領域のファイル未使用部分の先頭に、ファームウェア識別情報とファームウェアインデックス情報と実データからなるファームウェアのデータを書き込み、ファームウェアのデータ中の識別情報とインデックス情報を実質的なファイル管理情報としてファームウェアの実データを正確に読み出すようにしたものである。要するに、本発明は、実質的なファイル管理情報を、通常のようにファイル管理領域に書き込まず、ファイルの実データを書き込むファイルデータ領域中にファームウェアの実データに付加して書き込むようにしたものである。（「ファームウェアのデータ」及び「ファームウェアインデックス情報」の各構成については、図３及び図４を用いて後述する）
次に、本発明の光ディスク記録媒体２１及び光ディスク情報記録再生装置の実施例について図１〜図５を用いて説明する。図１は本発明の第１の実施例の光ディスク記録媒体２１のファームウェア格納時のデータ構成を示す図であり、図２は本発明の第２の実施例の光ディスク記録媒体２１のファームウェア格納時のデータ構成を示す図であり、図３は本発明の実施例のファームウェアのデータ構成を示す図であり、図４は本発明の実施例のファームウェアインデックス情報のデータ構成を示す図であり、図５は本発明の第３の実施例である光ディスク情報記録再生装置におけるファームウェアを更新する動作のフローチャートを示す図である。
【００２３】
本発明の第１の実施例は、図１に示すように、ファームウェア識別情報とファームウェアインデックス情報と実データからなるファームウェアのデータを、光ディスク記録媒体２１のフォーマットの初期化後のファイルデータ領域のファイル未使用部分の先頭に記録するようにしている。なお、ファイル管理領域に情報は作成しない。
【００２４】
本発明の第２の実施例は、図２に示すように、ファームウェア識別情報とファームウェアインデックス情報と実データからなるファームウェアのデータを、光ディスク記録媒体２１のフォーマットの初期化後のファイルデータ領域のファイル未使用部分の先頭に記録すると共に、エリア管理領域における前記ファームウエアが格納されたファイルデータ領域に対応する場所に使用状態を表すフラグを立てるようにしている。なお、ファイル管理領域に情報は作成しない。
【００２５】
本発明におけるファームウェアのデータの構成の例を図３に示す。図３は、複数のファームウエアを記録した場合の例を表している。ファームウェアのデータは、ファームウェア識別情報とファームウェアインデックス情報と各ファームウェアの実データからなる。ファームウェア識別情報は、ファームウェアデータが格納されていることを示すキーワード、及び、ファームウェアデータの大きさ等からなる。ファームウェアインデックス情報のデータ構成の例を図４に示す。ファームウェアインデックス情報は、例えばメーカ名、機種名、ファームウェアのバージョン番号、ファームウェアの格納場所等からなる。
【００２６】
本発明の第３の実施例である光ディスク情報記録再生装置におけるファームウェアを更新する動作を、図５のフローチャートを用いて説明する。
【００２７】
光ディスク情報記録再生装置において、光ディスク装置２０の制御マイコン１１は、光ディスク記録媒体２１が挿入されると動作を開始し、ステップＳ１で光ディスク記録媒体２１のリードインエリアに記録されているドライブの制御に必要なディスク制御情報を読み出す。続いてステップＳ２において、ホストマイコン３１は、ファイル管理領域に記録されているファイルやディレクトリに関する名前、日時、サイズ等、及びエリア管理領域に記録されているデータエリアの使用状況（空き情報）の、ファイルシステム管理情報を読み出し、これを用いて、ステップＳ３でファイルデータ領域の未使用部分の先頭に書き込まれているファイルの実データ（「ファームウェアのデータ」を含む）を読み出し、メモリ３３に記憶する。続いて、ホストマイコン３１は、ステップＳ４でファイルデータ領域にファームウェア識別情報が有るか否かの判断を行なう。ファームウェア識別情報が無いと判定された場合は、ステップＳ５に進んで通常の記録再生処理を行う。ファームウェア識別情報が有ると判定した場合は、ステップＳ６でファームウェアインデックス情報を読み出し、ステップＳ７で該当するメーカ名、機種名が有るか否かの判断を行なう。該当する名前が無い場合は、ステップＳ８に進んでファームウェアが格納されているファイルデータ領域に対応するエリア管理情報を未使用状態に書き換え、ステップＳ５に進んで通常の記録再生処理を行う。該当する名前が有る場合は、ステップＳ９でファームウェアインデックス情報内のバージョン番号が現バージョンより新しいか否か判断する。ファームウェアのバージョン番号が現バージョンより古いか同じ場合は、ステップＳ８に進んでファームウェアが格納されているファイルデータ領域に対応するエリア管理情報を未使用状態に書き換え、ステップＳ５に進んで通常の記録再生処理を行う。ファームウェアのバージョン番号が現バージョンより新しい場合は、ステップＳ１０で目的とするファームウェアを読み出し、光ディスク装置２０との間であらかじめ取り決めた通信方式でファームウエアの実データを光ディスク装置２０に転送する。次に、ステップＳ１１において、制御マイコン１１は、ホストマイコン３１からホストインターフェース８及びバッファメモリを介してファームウエアの実データを受け取り、フラッシュＲＯＭ１２にファームウエアを書き込み更新する。最後に、ステップＳ１２で光ディスク記録媒体２１のファームウェアが格納されているファイルデータ領域に対応するエリア管理情報を未使用状態に書き換え、ステップＳ１３で更新したプログラムを用いて光ディスク装置２０を初期化して、動作を終了する。
【００２８】
【発明の効果】
以上述べたように、本発明は、実質的なファイル管理情報を、通常のようにファイル管理領域に書き込まず、ファイルの実データを書き込むファイルデータ領域中にファームウェアの実データと共に書き込むようにしたので、第三者にファイル管理情報が何処にあるか解らず、書き換え可能な光ディスク記録媒体２１を使用しながら改ざんを困難にしセキュリティを高くすることが出来るという効果がある。
【図面の簡単な説明】
【図１】本発明の第１の実施例の光ディスク記録媒体２１のファームウェア格納時のデータ構成を示す図である。
【図２】本発明の第２の実施例の光ディスク記録媒体２１のファームウェア格納時のデータ構成を示す図である。
【図３】本発明の実施例のファームウェアのデータ構成を示す図である。
【図４】本発明の実施例のファームウェアインデックス情報のデータ構成を示す図である。
【図５】本発明の第３の実施例である光ディスク情報記録再生装置におけるファームウェアを更新する動作のフローチャートを示す図である。
【図６】光ディスク装置の従来例の概略構成を示す図である。
【図７】パーソナルコンピュータの従来例の概略構成を示す図である。
【図８】光ディスク情報記録再生装置の従来例の概略構成を示す図である。
【図９】通常の光ディスク記録媒体２１を示す図である。
【図１０】光ディスク記録媒体２１の通常のデータ構成を示す図である。
【図１１】光ディスク記録媒体２１のファイルフォーマット直後の通常のデータ構成を示す図である。
【図１２】光ディスク記録媒体２１のファイル格納時の通常のデータ構成を示す図である。
【符号の説明】
１　載置部
２　スピンドルモータ
３　サーボ制御回路
４　読み取り／書き込みヘッド
５　再生信号処理回路
６　誤り訂正回路
７　バッファメモリ
８　ホストインターフェース
９　記録信号処理回路
１０　誤り訂正符号付加回路
１１　制御マイコン
１２　フラッシュＲＯＭ
１３　ＲＡＭ
２０　光ディスク装置
２１　光ディスク記録媒体
３１　ホストマイコン
３２　映像変換回路
３３　メモリ
３４　入力インターフェース
３５　映像出力インターフェース
３６　映像入力インターフェース
３７　チューナー
４１　マイクロプロセッサ
４２　バス制御回路
４３　メモリ
４４　ハードディスク装置
４５　ドライブインターフェース
４６　汎用バス
４７　入力インターフェース
４８　グラフィックインターフェース
４９　ネットワークインターフェース
【図１】
2004030742.tif 000003
【図２】
2004030742.tif 000004
【図３】
2004030742.tif 000005
【図４】
2004030742.tif 000006
【図５】
2004030742.tif 000007
【図６】
2004030742.tif 000008
【図７】
2004030742.tif 000009
【図８】
2004030742.tif 000010
【図９】
2004030742.tif 000011
【図１０】
2004030742.tif 000012
【図１１】
2004030742.tif 000013
【図１２】
2004030742.tif 000014